(57)【特許請求の範囲】
【請求項１】
前面が開口する装置筐体に監視制御モニタを実装するための監視制御モニタ接続ケーブルの収納構造であって、
該監視制御モニタを固定する固定用ユニットを備え、
該固定用ユニットは、中央部にヒンジ手段と、該ヒンジ手段の両側に第１及び第２の板状部材とを備え、
該第１板状部材は、該第１板状部材を前記装置筐体へ挿抜するための案内手段と、前記装置筐体の背面側に配置されたマザーボードと接続されるコネクタとを備え、
前記第２板状部材は、前記監視制御モニタの固定手段を備え、
前記コネクタと前記監視制御モニタとがケーブルによって電気的に接続されることを特徴とする監視制御モニタ接続ケーブルの収納構造。
【請求項２】
前記ケーブルを巻回して収納するコードリールを前記第１板状部材に設けたことを特徴とする請求項１記載の監視制御モニタ接続ケーブルの収納構造。
【請求項３】
前記ケーブルは、カールコードであることを特徴とする請求項１記載の監視制御モニタ接続ケーブルの収納構造。
【発明の詳細な説明】
【０００１】
【発明の属する技術分野】
本発明は、無線通信装置等において使用される監視制御モニタ接続ケーブルの収納構造に関する。
【０００２】
【従来の技術】
従来、比較的小型の筐体に複数のパネルを実装する無線通信装置等において、使用者が操作する監視制御部を設けた場合には、図５乃至図１０に示すような構成が採用されていた。
【０００３】
図５に示す第１の実装例は、監視制御部１を筐体１３の前面に設け、残りの前面部分にパネル１４を実装したものである。
【０００４】
また、第２の実装例として、図６に示すように、筐体１３の前面全体を監視制御部１とし、パネル１４を背面から挿抜するものもあった。
【０００５】
さらに、第３の実装例では、図７に示すように、筐体１３の前面をパネル１４の実装領域とするとともに、使用者がパソコン２を装置に接続して監視制御を行っていた。
【０００６】
また、第４の実装例として、図８に示すように、筐体１３の前面をパネル１４の実装領域とするとともに、使用者が監視制御モニタ３を装置に接続して操作していた。
【０００７】
【発明が解決しようとする課題】
しかし、上記従来の監視制御モニタ接続ケーブルの収納構造の第１の実装例（図５参照）では、監視制御部１によって筐体１３の前面の実装範囲が占有され、その他のパネル１４の実装領域が狭くなってしまうという問題があった。
【０００８】
また、第２の実装例（図６参照）では、パネル１４の交換を背面より行うので、保守性及び作業性が悪いという問題があった。
【０００９】
さらに、第３の実装例（図７参照）では、使用者がその都度パソコン２を用意しなければならず、常時、監視制御事項を表示する機能を装置として備えていないという問題があった。
【００１０】
また、第４の実装例（図８参照）では、監視制御モニタ３を保管するにあたって、図９に示すように、監視制御モニタ３を筐体１３とは別に保管する方法と、図１０に示すように、監視制御モニタ３を筐体１３に収納する方法がある。
【００１１】
そして、監視制御モニタ３を筐体１３とは別に保管する場合には、筐体１３と監視制御モニタ３とを別々に管理する必要があり、監視制御モニタ３を筐体１３に収納する場合には、監視制御モニタ３のケーブルを使用者が巻き取る必要があり、監視制御モニタ３及びケーブルの収納領域が大きくなってその他のパネル１４の実装領域が狭くなってしまうという問題があった。
【００１２】
上記問題を解決するため、例えば、特開平７−３１２４８４号公報に開示されているコード収納装置では、巻き取りドラムと渦巻きばねを組み合わせ、ケーブルの収納を小スペースにて実現している。
【００１３】
しかし、このコード収納装置を用いて監視制御部を接続した場合でも、コード収納装置内に収納されるケーブルが断線した場合や、監視制御部が故障した場合には、筐体を一度解体し、コード収納装置を交換しなければならず、保守性に劣るという問題があった。
【００１４】
そこで、本発明は上記従来の技術における問題点に鑑みてなされたものであって、無線通信装置等における監視制御モニタのケーブル収納作業を容易に行うことができ、監視制御モニタを狭い実装領域で装置内に収納することができ、使用者の利便性を向上させるとともに、監視制御モニタを含む監視制御部の交換を可能として保守性の良い監視制御モニタ接続ケーブルの収納構造を提供することを目的とする。
【００１５】
【課題を解決するための手段】
上記目的を達成するため、請求項１記載の発明は、前面が開口する装置筐体に監視制御モニタを実装するための監視制御モニタ接続ケーブルの収納構造であって、該監視制御モニタを固定する固定用ユニットを備え、該固定用ユニットは、中央部にヒンジ手段と、該ヒンジ手段の両側に第１及び第２の板状部材とを備え、該第１板状部材は、該第１板状部材を前記装置筐体へ挿抜するための案内手段と、前記装置筐体の背面側に配置されたマザーボードと接続されるコネクタとを備え、前記第２板状部材は、前記監視制御モニタの固定手段を備え、前記コネクタと前記監視制御モニタとがケーブルによって電気的に接続されることを特徴とする。
【００１６】
そして、請求項１記載の発明によれば、固定用ユニットの第１板状部材を装置筐体に挿入し、監視制御モニタを固定した第２板状部材を装置筐体の前面側に配置することにより、監視制御モニタの背面側の装置筐体部分にもパネル等の実装領域を確保することができ、装置筐体の容積を最大限に活用することができるとともに、監視制御モニタを装置筐体の前面から操作することができる。
【００１７】
また、監視制御モニタが故障したときや、接続ケーブルが断線したときには、固定用ユニットを装置筐体から引き出して修理を行うことができる。
【００１８】
請求項２記載の発明は、請求項１記載の監視制御モニタ接続ケーブルの収納構造において、前記ケーブルを巻回して収納するコードリールを前記第１板状部材に設けたことを特徴とする。
【００１９】
請求項２記載の発明によれば、コードリールによってケーブルを巻回して収納することができるため、より容易に監視制御モニタを装置筐体に収納することができるとともに、装置筐体容積をより効率的に活用することができる。
【００２０】
請求項３記載の発明は、請求項１記載の監視制御モニタ接続ケーブルの収納構造において、前記ケーブルは、カールコードであることを特徴とする。
【００２１】
請求項３記載の発明によれば、監視制御モニタの操作時には、カールコードが伸びて監視制御モニタを手元で操作することができ、監視制御モニタの収納時には、カールコードが縮んでケーブル収納作業を必要としない。
【００２２】
【発明の実施の形態】
次に、本発明にかかる監視制御モニタ接続ケーブルの収納構造の実施の形態の具体例を図面を参照しながら説明する。尚、本実施の形態では、監視制御モニタ接続ケーブルの収納構造を無線通信装置に適用した場合について説明する。
【００２３】
図１乃至図３に示すように、本発明にかかる監視制御モニタ接続ケーブルの収納構造は、前面が開口する装置筐体（以下単に「筐体」という）１３に監視制御モニタ３を実装するため、監視制御モニタ３を固定する固定用ユニット４を備え、この固定用ユニット４は、中央部にヒンジ手段１１と、ヒンジ手段１１の両側に第１板状部材４ａ及び第２板状部材４ｂとを備える。
【００２４】
そして、第１板状部材４ａは、この第１板状部材４ａを筐体１３へ挿抜するための案内手段としての実装用レール８と、筐体１３の背面側に配置されたマザーボード７と接続されるコネクタ６とを備える。また、第２板状部材４ｂは、監視制御モニタ３の固定手段としてのモニタ実装用ホルダ９を備える。
【００２５】
さらに、コネクタ６と監視制御モニタ３とは、ケーブル１８によって電気的に接続され、ケーブル１８を巻回して収納するためコードリールが第１板状部材４ａ上に配置されている。
【００２６】
次に、上記構成を有する監視制御モニタ接続ケーブルの収納構造の動作について説明する。
【００２７】
まず、無線通信装置への監視制御装置の実装方法について、図１及び図２を参照しながら説明する。
【００２８】
通常の実装状態では、図２に示すように、監視制御モニタ３は、モニタ実装用ホルダ９に実装され、装置前面からの確認と操作が可能となる。そして、通常の実装状態で、監視制御モニタ３の裏に実装されている他のパネル１４を交換する場合には、図３に示すように、モニタ実装用ホルダ９を筐体１３に固定しているつまみねじ１２を外し、モニタ実装用ホルダ９を矢印Ａ方向に回転させ、監視制御モニタ３を筐体１３に実装した状態で裏側のパネル１４を矢印Ｂ方向に引き出して交換する。
【００２９】
監視制御モニタ３を手元で操作する場合には、図１に示すように、監視制御モニタ３を前方へ引き出し、任意の位置で操作することも可能となる。また、ケーブル１８を収納する場合には、引き出した任意の位置からもう一度ケーブル１８を引くことでロックが外れ、コードリール５にケーブル１８が巻き取られる。
【００３０】
監視制御モニタ３の故障や、ケーブル１８が断線した場合には、固定用ユニット４を装置より引き抜き、コードリール５や監視制御モニタ３を修理したり交換することができる。
【００３１】
固定用ユニット４を収納する場合には、ユニットの実装用レール８を装置のガイドレール１５に沿って挿入し、固定用ユニット４のコネクタ６をマザーボード７上のコネクタと勘合させると、監視制御モニタ３の操作が可能となる。
【００３２】
次に、本発明にかかる監視制御モニタ接続ケーブルの収納構造の他の実施例について、図４を参照しながら説明する。
【００３３】
本実施例では、第１実施例におけるコードリール５を搭載せずに、監視制御モニタ３の接続ケーブルをカールコード１６としている。これによって、監視制御モニタ３の操作時には、カールコード１６が伸びて手元で操作可能となる。また、監視制御モニタ３の収納時には、カールコード１６が縮むため、ケーブル収納作業を必要としないという利点がある。
【００３４】
【発明の効果】
以上説明したように、請求項１記載の発明によれば、監視制御モニタの背面側の装置筐体部分にもパネル等の実装領域を確保することができるため、監視制御モニタを狭い実装領域で装置内に収納することができ、監視制御モニタを装置筐体の前面から操作することができるため、使用者の利便性が良く、監視制御モニタが故障したときや、接続ケーブルが断線したときに固定用ユニットを装置筐体から引き出して修理を行うことができるため、保守性の良い監視制御モニタ接続ケーブルの収納構造を提供することができる。
【００３５】
また、請求項２記載の発明によれば、請求項１記載の発明の効果に加え、より容易に監視制御モニタを装置筐体に収納することができるとともに、装置筐体容積をより効率的に活用することができる。
【００３６】
請求項３記載の発明によれば、請求項１記載の発明の効果に加え、監視制御モニタの装置筐体からの引き出し、収納をより容易に行うことができる。
【図面の簡単な説明】
【図１】本発明にかかる監視制御モニタ接続ケーブルの収納構造の一実施例を示す斜視図である。
【図２】図１の監視制御モニタ接続ケーブルの収納構造のコードリールユニットを取り外した状態を示す拡大斜視図である。
【図３】図１の監視制御モニタ接続ケーブルの収納構造の監視制御モニタの背面に位置するパネルの交換要領を説明するための斜視図である。
【図４】本発明にかかる監視制御モニタ接続ケーブルの収納構造の他の実施例を示す斜視図である。
【図５】従来の監視制御部の第１の実装例を示す斜視図である。
【図６】従来の監視制御部の第２の実装例を示す斜視図である。
【図７】従来の監視制御部の第３の実装例を示す斜視図である。
【図８】従来の監視制御部の第４の実装例を示す斜視図である。
【図９】図８に示した第４の実装例において、監視制御モニタを筐体とは別に保管した場合を示す斜視図である。
【図１０】図８に示した第４の実装例において、監視制御モニタを筐体に収納した場合を示す斜視図である。
【符号の説明】
３     監視制御モニタ
４     固定用ユニット
４ａ   第１板状部材
４ｂ   第２板状部材
５     コードリール
６     コネクタ
７     マザーボード
８     実装用レール
９     モニタ実装用ホルダ
１０   ユニットベース
１１   ヒンジ手段
１２   つまみねじ
１３   筐体
１４   パネル
１５   ガイドレール
１６   カールコード
１８   ケーブル
【図１】
0004428847.tif 000002
【図２】
0004428847.tif 000003
【図３】
0004428847.tif 000004
【図４】
0004428847.tif 000005
【図５】
0004428847.tif 000006
【図６】
0004428847.tif 000007
【図７】
0004428847.tif 000008
【図８】
0004428847.tif 000009
【図９】
0004428847.tif 000010
【図１０】
0004428847.tif 000011